(57)【特許請求の範囲】
【請求項１】
測定液のＭアルカリ度を光学的に測定するための試薬であって、（Ａ）ブロモフェノールブルーまたはブロモフェノールブルーのアルカリ金属塩から選択される色素と、（Ｂ）ｐＨ緩衝剤とを含有し、かつ該試薬は、一液に構成されていることを特徴とするＭアルカリ度測定用試薬。
【請求項２】
前記ブロモフェノールブルーのアルカリ金属塩は、ブロモフェノールブルーのナトリウム塩であることを特徴とする請求項１に記載のＭアルカリ度測定用試薬。
【請求項３】
前記ｐＨ緩衝剤は、塩酸およびフタル酸水素カリウムからなることを特徴とする請求項１または請求項２に記載のＭアルカリ度測定用試薬。
【請求項４】
測定液のＭアルカリ度を光学的に測定する方法であって、測定液に対し、（Ａ）ブロモフェノールブルーまたはブロモフェノールブルーのアルカリ金属塩から選択される色素と、（Ｂ）ｐＨ緩衝剤とを含有する一液型試薬の所定量を添加して混合する工程と、前記試薬が添加された測定液に対し、特定の吸収波長における吸光度を測定する工程と、測定された吸光度に対し、予め設定された吸光度とＭアルカリ度の相関を示す検量線に基づいて、測定液のＭアルカリ度を判定する工程とを含むことを特徴とするＭアルカリ度測定方法。
【請求項５】
前記ブロモフェノールブルーのアルカリ金属塩は、ブロモフェノールブルーのナトリウム塩であることを特徴とする請求項４に記載のＭアルカリ度測定方法。
【請求項６】
前記ｐＨ緩衝剤は、塩酸およびフタル酸水素カリウムからなることを特徴とする請求項４または請求項５に記載のＭアルカリ度測定方法。
【発明の詳細な説明】
【０００１】
【発明の属する技術分野】
この発明は、水中のＭアルカリ度を光学的に測定するための試薬および測定方法に関する。
【０００２】
【従来の技術】
従来、Ｍアルカリ度（水に溶けている炭酸水素塩，炭酸塩および水酸化物等のアルカリをｐＨ４．８に中和するのに要する酸の量を炭酸カルシウムに換算して試料１リットルについてmg数で表す。一般には、重炭酸塩と考えられ、Ｍアルカリ度は、ボイラ缶内で熱分解して、ＮａＯＨと炭酸ガスを生成する。）の測定には、酸による滴定が一般的に行われている。この酸で滴定する方法は、測定水に酸をｐＨが４．８に達するまで滴下する。そして、その酸の滴下量から測定水のＭアルカリ度を算出している。しかし、この方法では、酸を用いて滴定を行うため、測定に手間がかかり、また酸の濃度管理も確実に行わなければならない。
【０００３】
【発明が解決しようとする課題】
この発明は、前記課題に鑑み、酸による滴定を行わず、さらにＭアルカリ度の連続測定ができる測定用試薬および測定方法を提供することを目的としている。
【０００４】
【課題を解決するための手段】
この発明は、前記課題を解決するためになされたものであって、請求項１に記載の発明は、測定液のＭアルカリ度を光学的に測定するための試薬であって、（Ａ）ブロモフェノールブルーまたはブロモフェノールブルーのアルカリ金属塩から選択される色素と、（Ｂ）ｐＨ緩衝剤とを含有し、かつ該試薬は、一液に構成されていることを特徴としている。
【０００５】
請求項２に記載の発明は、請求項１において、前記ブロモフェノールブルーのアルカリ金属塩は、ブロモフェノールブルーのナトリウム塩であることを特徴としている。
【０００６】
請求項３に記載の発明は、請求項１または請求項２において、前記ｐＨ緩衝剤は、塩酸およびフタル酸水素カリウムからなることを特徴としている。
【０００７】
また、請求項４に記載の発明は、測定液のＭアルカリ度を光学的に測定する方法であって、測定液に対し、（Ａ）ブロモフェノールブルーまたはブロモフェノールブルーのアルカリ金属塩から選択される色素と、（Ｂ）ｐＨ緩衝剤とを含有する一液型試薬の所定量を添加して混合する工程と、前記試薬が添加された測定液に対し、特定の吸収波長における吸光度を測定する工程と、測定された吸光度に対し、予め設定された吸光度とＭアルカリ度の相関を示す検量線に基づいて、測定液のＭアルカリ度を判定する工程とを含むことを特徴としている。
【０００８】
請求項５に記載の発明は、請求項４において、前記ブロモフェノールブルーのアルカリ金属塩は、ブロモフェノールブルーのナトリウム塩であることを特徴としている。
【０００９】
請求項６に記載の発明は、請求項４または請求項５において、前記ｐＨ緩衝剤は、塩酸およびフタル酸水素カリウムからなることを特徴としている。
【００１０】
【発明の実施の形態】
つぎに、この発明の実施の形態について説明する。この発明は、Ｍアルカリ度測定用試薬として、ブロモフェノールブルーまたはブロモフェノールブルーのアルカリ金属塩を用いることで好適に実施することができる。
【００１１】
まず、前記Ｍアルカリ度測定用試薬について説明する。前記Ｍアルカリ度測定用試薬として用いるブロモフェノールブルーまたはブロモフェノールブルーのアルカリ金属塩は、熱的にも酸化剤にも安定であり、吸収波長が５９０nmと比較的長波長であるため光学系の簡素化ができ、また比較的高いＭアルカリ度においても測定可能であるため、Ｍアルカリ度測定には好ましい。また、その中でもブロモフェノールブルーのナトリウム塩は、水に対する溶解度が高いため、試薬として調合する際にとくに好ましい。
【００１２】
つぎに、前記Ｍアルカリ度の測定方法について説明する。まず、Ｍアルカリ度が既知の測定液へ前記Ｍアルカリ度測定用試薬を注入し、吸光度を測定する。そして、その測定値とＭアルカリ度の関係を表す検量線を作成する。その後、前記Ｍアルカリ度未知の測定液へ前記Ｍアルカリ度測定用試薬を注入して吸光度を測定し、前記検量線と測定した吸光度により前記Ｍアルカリ度を求める。
【００１３】
【実施例】
つぎに、この発明の具体的実施例について詳細に説明する。これらは例示であって、この発明の範囲を何ら限定するものではない。
【００１４】
まず、ブロモフェノールブルーのナトリウム塩０．０４４ｇを、蒸留水で溶かし０．２リットルにする。つぎに、ｐＨ３．１の緩衝液（５．１０４７ｇのフタル酸水素カリウムを蒸留水に溶かし、０．１Ｎの塩酸を０．０８７６リットル加えたものを蒸留水で１リットルにしたもの、すなわちｐＨ緩衝剤）１リットルとブロモフェノールブルーのナトリウム塩０．２リットルを混合し、ブロモフェノールブルー緩衝液を作る。これを、一液のＭアルカリ度測定用試薬として用いる。
【００１５】
つぎに、Ｍアルカリ度が、１０mg／リットル，２０mg／リットル，４０mg／リットル，６０mg／リットル，８０mg／リットル，１００mg／リットルの測定液を調合する。
【００１６】
そして、分光光度計にアクリルセル（光路長１０mm）をセットして、前記ブロモフェノールブルー緩衝液、すなわちＭアルカリ測定用試薬と測定液を４：５の割合で混合し、吸収スペクトルを測定する。Ｍアルカリ度が２０mg／リットルのときの結果を図１に示す。
【００１７】
図１の吸収スペクトルから、５９０nmに吸収波長の極大があることが分かる。また、他のＭアルカリ度においても、同様の結果が得られた。そして、この吸収波長５９０nmのときの吸光度とＭアルカリ度の関係を求める。その結果を図２に示す。
【００１８】
図２の吸収波長５９０nmのときの吸光度とＭアルカリ度の関係のグラフから、吸収波長の５９０nmのとき、吸光度とＭアルカリ度は、ほぼ直線関係で表せること分かる。そして、このグラフを検量線として用いることにより、Ｍアルカリ度未知の測定液に、前記ブロモフェノールブルー緩衝液、すなわちＭアルカリ度測定用試薬を混合させて、吸光度５９０nmで測定し、この検量線から読み替えることで、この測定液のＭアルカリ度を求めることができる。
【００１９】
以上のように、前記ブロモフェノールブルーまたは前記ブロモフェノールブルーのアルカリ金属塩とともに、前記ｐＨ緩衝剤を含有するＭアルカリ度測定用試薬を用いることにより、Ｍアルカリ度未知の測定液のＭアルカリ度を求めることができる。
【００２０】
【発明の効果】
以上のように、この発明によれば、酸による滴定を行わないで、Ｍアルカリ度測定を行うことができる。
【図面の簡単な説明】
【図１】吸収スペクトルを示すグラフである。
【図２】吸収波長５９０nmのときの吸光度とＭアルカリ度の関係を示すグラフである。
【図１】
0004254020.tif 000002
【図２】
0004254020.tif 000003